(57)【要約】【課題】  部品点数の削減等を図る。【解決手段】  内部に所定のレンズ及び撮像素子７９を有する撮像ブロック７７が配置されたカメラ筐体５と、該カメラ筐体の内面に接触された状態で配置されるスピーカー４７と、カメラ筐体の内部に配置された接地回路と、スピーカーをカメラ筐体の上記内面の反対側から押さえると共に接地回路に接続された押さえ用板金４８とを設け、該押さえ用板金に、スピーカーをカメラ筐体の上記内面側に付勢した状態で押さえるバネ押さえ部４９ｂを設けた。【選択図】図１４
2007166288.tif 000002
【特許請求の範囲】
【請求項１】
内部に所定のレンズ及び撮像素子を有する撮像ブロックが配置されたカメラ筐体と、
該カメラ筐体の内面に接触された状態で配置されるスピーカーと、
カメラ筐体の内部に配置された接地回路と、
スピーカーをカメラ筐体の上記内面の反対側から押さえると共に接地回路に接続された押さえ用板金とを備え、
該押さえ用板金に、スピーカーをカメラ筐体の上記内面側に付勢した状態で押さえるバネ押さえ部を設けた
ことを特徴とする撮像装置。
【請求項２】
バネ押さえ部を打出状の突部に形成した
ことを特徴とする請求項１に記載の撮像装置。
【請求項３】
押さえ用板金と接地回路の間に介在されカメラ筐体の内部に固定された接地用板金を設け、
接地用板金と押さえ用板金を重ね合わせた状態でカメラ筐体に接地用板金と押さえ用板金をネジ止めにより固定した
ことを特徴とする請求項１に記載の撮像装置。
【発明の詳細な説明】
【技術分野】
【０００１】
本発明は撮像装置についての技術分野に関する。詳しくは、スピーカーを接地回路に接続された押さえ用板金によって押さえ、部品点数の削減等を図る技術分野に関する。
【背景技術】
【０００２】
ビデオカメラやスチルカメラ等の動画撮影や静止画撮影を行うことができる撮像装置がある。
【０００３】
撮像装置には、被写体の像を取り込むための撮影レンズ、フォーカス機能やズーム機能等の各種の機能を発揮する各種のレンズ、撮影時に必要な各種の操作を行うための撮影用釦、撮影時や撮影した画像の再生時に画像を表示する表示画面等が設けられている。
【０００４】
このような撮像装置には、外筐の内部に音声の出力を行うためのスピーカーが配置されたものがある（例えば、特許文献１参照）。
【０００５】
スピーカーは、例えば、外筐の内面に配置され押さえ用板金によって外筐の内面の反対側から押さえられている。スピーカーと押さえ用板金の間には防振部材及びクッションとして機能するゴムブッシュ等の緩衝手段が配置されている。スピーカーの帯電を防止するために、押さえ用板金はスピーカーに接触された接地用板金に接触された状態で固定されている。
【０００６】
【特許文献１】特開平７―３３６５７６号公報
【発明の開示】
【発明が解決しようとする課題】
【０００７】
ところが、上記した従来の撮像装置にあっては、スピーカーと押さえ用板金の間にゴムブッシュ等の緩衝手段が配置されているため、その分、部品点数が多いと共にスピーカーの取付作業に手間がかかるという問題がある。
【０００８】
そこで、本発明は、上記した問題点を克服し、部品点数の削減等を図ることを課題とする。
【課題を解決するための手段】
【０００９】
本発明撮像装置は、上記した課題を解決するために、内部に所定のレンズ及び撮像素子を有する撮像ブロックが配置されたカメラ筐体と、該カメラ筐体の内面に接触された状態で配置されるスピーカーと、カメラ筐体の内部に配置された接地回路と、スピーカーをカメラ筐体の上記内面の反対側から押さえると共に接地回路に接続された押さえ用板金とを設け、該押さえ用板金に、スピーカーをカメラ筐体の上記内面側に付勢した状態で押さえるバネ押さえ部を設けたものである。
【００１０】
従って、本発明撮像装置にあっては、スピーカーが押さえ用板金と接した状態で外筐の内面に配置される。
【発明の効果】
【００１１】
本発明撮像装置は、内部に所定のレンズ及び撮像素子を有する撮像ブロックが配置されたカメラ筐体と、該カメラ筐体の内面に接触された状態で配置されるスピーカーと、カメラ筐体の内部に配置された接地回路と、スピーカーをカメラ筐体の上記内面の反対側から押さえると共に接地回路に接続された押さえ用板金とを備え、該押さえ用板金に、スピーカーをカメラ筐体の上記内面側に付勢した状態で押さえるバネ押さえ部を設けたことを特徴とする。
【００１２】
従って、押さえ用板金とスピーカーの間にゴムブッシュ等のクッションを必要とせず、その分、部品点数の削減を図ることができる。
【００１３】
請求項２に記載した発明にあっては、バネ押さえ部を打出状の突部に形成したので、押さえ用板金の加工が容易であり、製造コストの低減を図ることができる。
【００１４】
請求項３に記載した発明にあっては、押さえ用板金と接地回路の間に介在されカメラ筐体の内部に固定された接地用板金を設け、接地用板金と押さえ用板金を重ね合わせた状態でカメラ筐体に接地用板金と押さえ用板金をネジ止めにより固定したので、押さえ用板金と接地用板金の接続及びカメラ筐体の組付を同時に行うことができ、撮像装置の組立作業における作業性の向上を図ることができる。
【発明を実施するための最良の形態】
【００１５】
以下に、本発明撮像装置を実施するための最良の形態を添付図面に従って説明する。以下に示した最良の形態は、本発明撮像装置を静止画撮影及び動画撮影を行うことができるビデオカメラに適用したものである。
【００１６】
尚、本発明は携帯電話やコンピューター機器に組み込まれたカメラ装置やスチルカメラ等の動画撮影又は静止画撮影の機能を有する各種の撮像装置に適用することができる。
【００１７】
以下の説明においては、撮影者側から見た状態で前後上下左右の各方向を示し、被写体側を前方、撮影者側を後方とする。
【００１８】
撮像装置（ビデオカメラ）１は、本体部２と該本体部２に回動自在（開閉自在）かつ回転自在に支持された表示部３とから成る（図１乃至図３参照）。
【００１９】
本体部２は外筐４と該外筐４内に配置された所要の各部とを有し、外筐４はカメラ筐体５と該カメラ筐体５に対してスライド可能な収納蓋６とから成る。
【００２０】
カメラ筐体５の内部空間はズームレンズやフォーカスレンズ等の各種のレンズや後述するＣＣＤ（Charge Coupled Device）等の撮像素子を有する撮像ブロックが配置される撮像ブロック配置部５ａとして形成されている（図４参照）。
【００２１】
カメラ筐体５は、第１のパネル７、第２のパネル８、第３のパネル９、第４のパネル１０及び円筒パネル１１が互いに結合されて成り（図１乃至図４参照）、例えば、第１のパネル７は左側面部７ａと下面部７ｂを構成し、第２のパネル８は右側面部８ａを構成し、第３のパネル９は上面部９ａを構成し、第４のパネル１０は後面部１０ａを構成し、円筒パネル１１は第１のパネル７と第２のパネル８と第３のパネル９が結合された状態において、その前端部に結合される。
【００２２】
第１のパネル７の左側面部７ａは、前端部及び下端部を除く部分が平板状に形成された平板部７ｃとして形成され、該平板部７ｃに複数の操作釦１２、１２、・・・が配置されている（図３及び図５参照）。操作釦１２、１２、・・・は、例えば、逆光補正を行う逆光補正用釦、画像のブレを補正するブレ補正釦、被写体の目が赤く撮影される所謂赤目撮影を防止する赤目防止釦、色調の相違を補正するホワイトバランス釦等として機能する。平板部７ｃにはスピーカー孔７ｄ、７ｄ、・・・が形成されている。平板部７ｃにおけるスピーカー孔７ｄ、７ｄ、・・・の近傍には、ネジ挿入孔７ｅが形成されている。平板部７ｃの後端部の外面には上下に離隔してゴムパッド１３、１３、１３が取り付けられている。
【００２３】
第１のパネル７の左側面部７ａの下端部には開閉蓋７ｆが設けられ（図３及び図５参照）、左側面部７ａの開閉蓋７ｆが設けられた位置には横長の配置孔７ｇが形成されている（図５参照）。第１のパネル７には、配置孔７ｇの左右の位置にそれぞれネジ挿入用孔７ｈ、７ｈが形成されている。開閉蓋７ｆを開閉することにより接続端子１４、１４、１４が露出される。接続端子１４、１４、１４は、例えば、ＵＳＢ（Universal Serial Bus）２．０端子、ＨＤＭＩ（High Definition Multimedia Interface）端子、電源供給用の端子等である。
【００２４】
第１のパネル７の左側面部７ａの下端部における後端部の外面には位置決め突部１５が設けられている。位置決め突部１５は第１のパネル７とは別部材で形成されている。位置決め突部１５は表示部３に形成された後述する位置決め凹部に挿入されて表示部３の第１のパネル７に対する位置決めを行う機能を有するが、第１のパネル７が表面塗装されているため、位置決め凹部を形成する壁面に接触する可能性を有する位置決め突部１５を別部材で形成し表面塗装を施さないことにより、塗装剥がれを回避することができる。
【００２５】
第１のパネル７の下面部７ｂの一端部にはネジ挿通孔７ｉが形成されている（図４参照）。
【００２６】
第２のパネル８の右側面部８ａには、図６に示すように、右方へ突出された枠状を為す収納用リブ１６が設けられ、該収納用リブ１６によって右方へ開口された浅い凹状を為す媒体収納部１７が形成される。従って、右側面部８ａはカメラ筐体５の外面側に形成された媒体収納部１７とカメラ筐体５の内部空間、即ち、撮像ブロック配置部５ａとを仕切る仕切壁として機能する。
【００２７】
収納用リブ１６の上下に位置する部分には、それぞれ前後方向へ延びるスライド溝１６ａ、１６ａが形成されている（図７参照）。右側面部８ａには挿通孔８ｂが形成され、該挿通孔８ｂは蓋部材１８によって閉塞される（図６参照）。
【００２８】
第２のパネル８の右側面部８ａには、その前端部に前後方向を向く基板１９が取り付けられている（図６参照）。基板１９には所定の機能を発揮する光が入射され又は出射される受発光部１９ａ、１９ａが配置され、該受発光部１９ａ、１９ａとしては、例えば、自動撮影時にリモートコントロール装置から出射された光が入射される受光体や夜間等に撮影可能な赤外光が出射される発光体等が用いられている。
【００２９】
第２のパネル８の右側面部８ａには、基板１９の真下の位置に保持板金２０が取り付けられている。保持板金２０には保持孔２０ａが形成されている。
【００３０】
第３のパネル９の左側縁には切欠９ｂが形成されている（図４参照）。第３のパネル９の上面には飾りパネル２１が取り付けられる。飾りパネル２１は熱伝導性が高く軽量な材料、例えば、アルミニウムによって形成されている。
【００３１】
飾りパネル２１は縦長の略矩形状に形成され、前端部に音声用孔２１ａ、２１ａ、・・・が形成されている。第３のパネル９の音声用孔２１ａ、２１ａ、・・・の真下に位置する部分には音声入力孔９ｃが形成され、その真下の位置に図示しないマイクが配置されている。従って、撮影時における音声は、飾りパネル２１の音声用孔２１ａ、２１ａ、・・・及び第３のパネル９の音声入力孔９ｃを介してマイクに入力される。
【００３２】
飾りパネル２１の左側縁には下方へ突出された被取付片２１ｂが設けられている。被取付片２１ｂは第３のパネル９の切欠９ｂからカメラ筐体５の内部へ突出される。
【００３３】
第４のパネル１０の下端部にはバッテリー装着凹部１０ｂが形成されている（図４参照）。
【００３４】
バッテリー装着凹部１０ｂにはバッテリー２２が取り付けられる（図３参照）。バッテリー２２が取り付けられた部分の上方の部分は後方へ突出され、この突出された部分がビューファインダー部２３として設けられている。
【００３５】
ビューファインダー部２３の右方には操作ブロック２４が取り付けられている（図１乃至図４参照）。操作ブロック２４には操作スイッチ２５、２５、・・・が設けられている。操作スイッチ２５、２５、・・・としては、例えば、撮影モードと再生モードを切り替えるモード切替スイッチ、電源のオンオフを行う電源スイッチ、撮影の開始及び停止を行う撮影スイッチ、ズーミングを行うズームスイッチ等が設けられている。
【００３６】
円筒パネル１１には、外嵌状に飾りリング２６が取り付けられる。飾りリング２６は熱伝導性が高く軽量な材料、例えば、アルミニウムによって形成されている。円筒パネル１１の内部には、その前端部にレンズシャッター２７が配置されている（図１及び図２参照）。
【００３７】
表示部３は本体部２に図５に示すＡ方向へ回動自在（開閉自在）かつ図５に示すＢ方向へ回転自在に支持されている。
【００３８】
表示部３は、図５に示すように、表示筐体２８と該表示筐体２８に保持された表示パネル２９とを有し、表示筐体２８の表示パネル２９が設けられた側である第１の面３０が平面状に形成され、第１の面３０の反対側の第２の面３１（図１参照）が緩やかな略円弧面状に形成されている。従って、表示筐体２８は上下方向における中央部の厚みが厚く上下両端部の厚みが薄くされている。第１の面３０の下端部における後端部には位置決め凹部３０ａが形成されている（図４及び図５参照）。
【００３９】
表示パネル２９の表面（画像表示面）は第１の面３０より第２の面３１側に稍凹んだ位置にある。従って、表示筐体２８の表示パネル２９が配置された部分は配置凹部２８ａとして形成されている。
【００４０】
表示部３は本体部２に対して、例えば、０°（閉塞状態）から９０°（開放状態）まで回動可能とされ、閉塞状態においては図示しない付勢バネによって本体部２に接する方向（図５に示すＡ１方向）へ付勢され、開放状態においては同じ図示しない付勢バネによって本体部２から離隔する方向（図５に示すＡ２方向）へ付勢される。
【００４１】
表示部３は第１の面３０が左側面部７ａに対向して閉じた状態にあるときに、図８に示すように、第１の面３０が上下両側に位置するゴムパッド１３、１３に接し、上下方向における中央に位置するゴムパッド１３は表示筐体２８の配置凹部２８ａに位置される。このとき第１の面３０に形成された位置決め凹部３０ａに左側面部７ａに設けられた位置決め突部１５が挿入され、表示部３の本体部２に対する位置決めが行われる。
【００４２】
従って、表示部３の本体部２に対する位置決めを第１の面３０に形成された位置決め凹部３０ａと左側面部７ａに設けられた位置決め突部１５によって行うため、表示部３の本体部２に対する位置決めを行うために左側面部７ａの上下両端部からそれぞれ左方へ突出する位置決め部を設ける必要がなく、その分、撮像装置１の高さを低くすることが可能となり小型化を図ることができる。
【００４３】
表示部３は第２の面３１が左側面部７ａに対向して閉じた状態にあるときに、図９に示すように、第２の面３１が上下方向における中央に位置するゴムパッド１３に接する。このとき略円弧面状に形成された第２の面３１が左側面部７ａに設けられた位置決め突部１５から退避して位置される。
【００４４】
従って、表示部３が位置決め突部１５と接触することがなく、第２の面３１の傷付きを防止することができる。
【００４５】
また、第２の面３１は位置決め突部１５と接触しないような任意の形状に形成すればよく、撮像装置１の設計の自由度の向上を図ることができる。
【００４６】
カメラ筐体５の右側面部８ａに形成された媒体収納部１７には所定の記録媒体ドライブ、例えば、ハードディスクドライブ３２が配置され、該ハードディスクドライブ３２は内蓋３３によって密閉された状態で収納蓋６によって媒体収納部１７に収納される（図６、図１０及び図１１参照）。
【００４７】
ハードディスクドライブ３２は扁平な横長の略矩形状に形成され、長手方向における一端部からフレキシブルプリント配線板３４が導出されている。
【００４８】
ハードディスクドライブ３２の上下両側部にはそれぞれダンパー３５、３５が取り付けられる。ダンパー３５、３５はゴム等の衝撃や振動を吸収し易い材料によって形成され、前後に延びる嵌合部３６、３６と該嵌合部３６、３６の前後両端部からそれぞれ直交する同じ方向へ突出された押さえ部３７、３７、・・・とから成る。嵌合部３６、３６にはそれぞれ前後に延びる嵌合溝３６ａ、３６ａが形成され、該嵌合溝３６ａ、３６ａの外側の部分は外側保持部３６ｂ、３６ｂとして設けられ、嵌合溝３６ａ、３６ａの内側の部分は内側保持部３６ｃ、３６ｃとして設けられている。
【００４９】
ダンパー３５、３５は嵌合溝３６ａ、３６ａにそれぞれハードディスクドライブ３２の上下両端部が嵌合されて該ハードディスクドライブ３２に取り付けられる。
【００５０】
ハードディスクドライブ３２にダンパー３５、３５が取り付けられた状態においては、押さえ部３７、３７、・・・によってハードディスクドライブ３２の前後両側面における上下両端部が押さえられる（図１１参照）。
【００５１】
媒体収納部１７を形成する右側面部８ａの直ぐ内側、即ち、カメラ筐体５の内部空間である撮像ブロック配置部５ａには、左右方向を向く状態で制御回路基板３８が配置されている（図１０乃至図１２参照）。制御回路基板３８にはハードディスクドライブ３２の駆動のための駆動用回路や撮像ブロックの各部に対する動作制御を行う動作用回路等が形成され、複数の電子部品３８ａ、３８ａ、・・・やハードディスクドライブ３２との接続用の接続用コネクター３８ｂが搭載されている。制御回路基板３８の下端部には、接続用コネクター３８ｂが搭載された面と反対側の面に、接続端子１４、１４、１４との接続用の接続コネクター３８ｃが搭載されている（図１０及び図１１参照）。
【００５２】
ハードディスクドライブ３２はダンパー３５、３５が取り付けられた状態において、媒体収納部１７に配置される（図１０及び図１１参照）。このときハードディスクドライブ３２に接続されたフレキシブルプリント配線板３４が、図６及び図１１に示すように、右側面部８ａに形成された挿通孔８ｂに挿通されて制御回路基板３８の接続用コネクター３８ｂに接続される。フレキシブルプリント配線板３４が接続用コネクター３８ｂに接続されると、挿通孔８ｂが蓋部材１８によって閉塞される（図１０及び図１１参照）。
【００５３】
フレキシブルプリント配線板３４は、図１１に示すように、所定の状態に屈曲された状態で媒体収納部１７に収納され、挿通孔８ｂに挿通された部分が蓋部材１８によって挿通孔８ｂの開口縁に押し付けられて保持される。
【００５４】
このようにフレキシブルプリント配線板３４は一部が蓋部材１８によって挿通孔８ｂの開口縁に押し付けられて保持されるため、フレキシブルプリント配線板３４の接続用コネクター３８ｂからの抜けを防止することができる。
【００５５】
また、撮像ブロック配置部５ａに配置された撮像ブロックの駆動時には、振動や発熱、特に、ＣＣＤや制御回路基板３８に発熱が生じ易いが、撮像ブロック配置部５ａと媒体収納部１８が仕切壁として機能する右側面部８ａによって仕切られているため、撮像ブロックや制御回路基板３８に発生した熱や振動がハードディスクドライブ３２に伝達され難く、該ハードディスクドライブ３２の動作の信頼性の向上を図ることができる。
【００５６】
逆に、ハードディスクドライブ３２の駆動時にも該ハードディスクドライブ３２に振動や発熱が生じ得るが、仕切壁として機能する右側面部８ａによって、これらの振動や発熱が撮像ブロックに伝達され難い。
【００５７】
また、ハードディスクドライブ３２の駆動時には、ハードディスクの回転に伴う音が発生することがあるが、この音が仕切壁として機能する右側面部８ａによって遮断され、発生した音が撮像ブロック配置部５ａに配置されたマイクに異音として伝達され難い。
【００５８】
さらに、仕切壁として機能する右側面部８ａに形成された挿通孔８ｂは蓋部材１８によって閉塞されるため、媒体収納部１８と撮像ブロック配置部５ａとの間の遮蔽性が高く、両者間の振動、熱、音の伝達の抑制率の向上を図ることができる。
【００５９】
内蓋３３は左方に開口された浅い箱状を為し、図６に示すように、矩形状に形成された平板部３３ａと該平板部３３ａの外周縁から左方へ突出された周縁部３３ｂとが一体に形成されて成る。
【００６０】
収納蓋６は左方及び後方に開口された浅い箱状に形成され、図６、図１０及び図１１に示すように、主面部３９と該主面部３９の前縁から左方へ突出された前面部４０と主面部３９の上下両側縁からそれぞれ左方へ突出された側面部４１、４１とを有している。
【００６１】
主面部３９の内面には前後に延びるリブ３９ａ、３９ａが設けられ、該リブ３９ａ、３９ａは上下に離隔して位置されている。
【００６２】
前面部４０には透過孔４０ａが形成され、該透過孔４０ａの前側開口縁に前面部４０の表面より稍後方に位置する段差面部４０ｂが設けられている。段差面部４０ｂには赤外光の透過が可能なカバー４２が取り付けられている。
【００６３】
前面部４０の下端部には前方へ突出された保持突部４３が設けられ、該保持突部４３に保持孔４３ａが形成されている。
【００６４】
側面部４１、４１の左端部における内面にはそれぞれ前後に延びるスライド突条４１ａ、４１ａが設けられている。
【００６５】
ハードディスクドライブ３２が媒体収納部１７に配置された状態において、内蓋３３は周縁部３３ｂの先端縁が収納用リブ１６の先端縁に突き当てられて取り付けられハードディスクドライブ３２を密閉する。ハードディスクドライブ３２が内蓋３３に密閉された状態において、収納蓋６が後方へスライドされて媒体収納部１７を閉塞しカメラ筐体５に取り付けられる。
【００６６】
収納蓋６のスライドは、スライド突条４１ａ、４１ａがそれぞれ収納用リブ１６、１６のスライド溝１６ａ、１６ａに摺動されることにより行われる。収納蓋６がスライドされてカメラ筐体５に取り付けられたときには、前面部４０に取り付けられたカバー４２の直ぐ後側に、基板１９に配置された受発光部１９ａ、１９ａが位置され、該受発光部１９ａ、１９ａの一部が透過孔４０ａに位置される（図１１参照）。
【００６７】
逆に、収納蓋６を前方へスライドし内蓋３３を取り外すことにより、ハードディスクドライブ３２を外筐４内から取り出すことが可能である。
【００６８】
尚、収納蓋６のカメラ筐体５への固定は、例えば、収納蓋６に形成された図示しないネジ挿通孔に取付ネジを挿通しカメラ筐体５にネジ止めすることにより行うことができる。
【００６９】
上記のように撮像装置１にあっては、収納蓋６をスライドしてカメラ筐体５に取り付けハードディスクドライブ３２を媒体収納部１７に収納すると同時に受発光部１９ａ、１９ａが収納蓋６によって閉塞されるため、撮像装置１の組立作業における作業性の向上を図ることができる。
【００７０】
また、収納蓋６をスライドしてカメラ筐体５に取り付けることによりハードディスクドライブ３２を媒体収納部１７に収納することができるため、ハードディスクドライブ３２の外筐４内への内蔵を容易に行うことができる。
【００７１】
さらに、ハードディスクドライブ３２の交換や修理が収納蓋６や内蓋３３を取り外すことにより行うことが可能であるため、メンテナンス性の向上を図ることができる。
【００７２】
尚、ハードディスクドライブ３２は、一般に、衝撃による影響を受け易く特に取扱いに注意を要するデバイスであることが知られているが、上記のように、収納蓋６をカメラ筐体５に取り付けてハードディスクドライブ３２を媒体収納部１７に収納するようにすれば、撮像装置１の他の組立工程が完了した後の最終工程においてハードディスクドライブ３２の組付を行うことができるため、ハードディスクドライブ３２の不良や故障の発生を防止することができる。
【００７３】
収納蓋６の外面は、撮影時に使用者の掌１００が宛われるグリップ部４４とされる（図１３参照）。
【００７４】
収納蓋６が後方へスライドされてカメラ筐体５に取り付けられた状態においては、収納蓋６のリブ３９ａ、３９ａが内蓋３３の平板部３３ａに接する（図１０及び図１１参照）。従って、内蓋３３は収納蓋６によって押さえられ、媒体収納部１７内でのハードディスクドライブ３２及び内蓋３３のガタツキを防止することができる。
【００７５】
尚、上記には、収納蓋６の内面に内蓋３３の外面側に突出するリブ３９ａ、３９ａを設けた例を示したが、逆に、内蓋３３の外面に収納蓋６の内面側に突出するリブを設けて媒体収納部１７内でのハードディスクドライブ３２及び内蓋３３のガタツキを防止することも可能である。
【００７６】
上記のように、内蓋３３を設けることにより、使用者がグリップ部４４を把持して撮影を行うときに、ハードディスクドライブ３２から把持した掌１００までの距離が遠くなり、ハードディスクドライブ３２の駆動時に発生する熱の掌１００への伝達を抑制することが可能となり、使い勝手の向上を図ることができる。
【００７７】
また、内蓋３３を設けることにより、その外側に位置する収納蓋６の形状を、例えば、把持し易い形状等に自由に設計することが可能となるため、設計の自由度の向上を図ることができる。
【００７８】
収納蓋６がカメラ筐体５に取り付けられた状態においては、リブ３９ａ、３９ａによって収納蓋６の内面と内蓋３３の外面との間に一定の隙間（空気層）１７ａが形成される（図１０及び図１１参照）。従って、撮像装置１内で発生する振動や熱がグリップ部を把持した掌１００に伝達され難く、撮像装置１の使い勝手の向上を図ることができる。
【００７９】
収納蓋６がカメラ筐体５に取り付けられた状態においては、収納蓋６の保持突部４３とカメラ筐体５に取り付けられた保持板金２０とが重ね合わされる（図１１参照）。保持突部４３の保持孔４３ａと保持板金２０の保持孔２０ａにはストラップ４５が挿通され（図１３参照）、使用者はストラップ４５を使用することが可能となる。
【００８０】
ハードディスクドライブ３２に取り付けられたダンパー３５、３５は、図１０に示すように、内側保持部３６ｃ、３６ｃの左右方向における幅Ｈ１が外側保持部３６ｂ、３６ｂの左右方向における幅Ｈ２より大きくされている。例えば、内側保持部３６ｃ、３６ｃの幅Ｈ１が約５ｍｍとされ外側保持部３６ｂ、３６ｂの幅Ｈ２が約３ｍｍとされている。
【００８１】
撮像装置１においては、カメラ筐体５の撮像ブロック配置部５ａに配置された各部は固定された状態にあり、媒体収納部１７に配置されたハードディスクドライブ３２はダンパー３５、３５に保持され内蓋３３及び第２のパネル８とは接触しない状態とされている。また、ハードディスクドライブ３２は内蓋３３に密閉された状態にあり、その外側に収納蓋６が隙間１７ａを間にして位置されている。
【００８２】
従って、撮像装置１においては、収納蓋６を下側にして落下した場合に比し表示部３を下側にして落下した場合の方がハードディスクドライブ３２に伝達される衝撃力が大きいことが想定される。
【００８３】
そこで、上記のようなハードディスクドライブ３２に伝達されると想定される衝撃力の相違を考慮して、上記したように、ダンパー３５、３５の内側保持部３６ｃ、３６ｃの幅Ｈ１が外側保持部３６ｂ、３６ｂの幅Ｈ２より大きくされている。
【００８４】
このように内側保持部３６ｃ、３６ｃと外側保持部３６ｂ、３６ｂの幅Ｈ１、Ｈ２を異ならせることにより、ダンパー３５、３５の左右方向における幅を最適化した上でハードディスクドライブ３２に付与される衝撃力を抑制することが可能となり、撮像装置１の左右方向における幅を最小化することができると共にハードディスクドライブ３２の動作の信頼性を確保することができる。
【００８５】
尚、ダンパー３５、３５の内側保持部３６ｃ、３６ｃの幅Ｈ１と外側保持部３６ｂ、３６ｂの幅Ｈ２の大きさは上記した例に限られることはなく、落下方向の相違や撮像装置１の各部の重量に基づいてハードディスクドライブ３２に付与される衝撃力の大きさを考慮して任意の値に設定することが可能である。例えば、ハードディスクドライブ３２に付与される衝撃力の各部の重量による影響等を考慮して、収納蓋６を下側にして落下した場合に比し表示部３を下側にして落下した場合の方がハードディスクドライブ３２に伝達される衝撃力が小さいことが想定される場合には、内側保持部３６ｃ、３６ｃの幅Ｈ１を外側保持部３６ｂ、３６ｂの幅Ｈ２より小さくすることも可能である。
【００８６】
第１のパネル７の左側面部７ａの内面には円環状に形成された配置用リブ７ｊが設けられ、該配置用リブ７ｊはスピーカー孔７ｄ、７ｄ、・・・を囲む位置に設けられている（図１４及び図１５参照）。左側面部７ａの内面には、配置用リブ７ｊの直ぐ外側にネジ止めボス７ｋ、７ｋが設けられている。
【００８７】
カメラ筐体５の内部には接地用板金４６が固定され（図１４及び図１６参照）、該接地用板金４６はカメラ筐体５の内部に設けられた図示しない接地回路に接続されている。接地用板金４６には取付片４６ａが設けられ、該取付片４６ａには螺孔４６ｂが形成されている。
【００８８】
第１のパネル７の配置用リブ７ｊの内側には略円板状に形成されたスピーカー４７が配置される。
【００８９】
スピーカー４７は押さえ用板金４８によって押さえられた状態で第１のパネル７に取り付けられる（図１４及び図１５参照）。押さえ用板金４８はバネ性を有する導電性材料、例えば、ＳＵＳ（ステンレス鋼）によって形成され、斜め方向に延びる押さえ部４９と該押さえ部４９の長手方向における一端部から左方へ突出された連続部５０と該連続部５０の左端から上方へ突出された被取付部５１とから成る。押さえ部４９の長手方向における両端部にはそれぞれネジ挿通孔４９ａ、４９ａが形成され、中央部には左方へ突出された打出状のバネ押さえ部４９ｂが設けられている。被取付部５１の先端部にはネジ孔５１ａが形成されている。
【００９０】
押さえ用板金４８は、第１の取付ネジ５２、５２がそれぞれネジ挿通孔４９ａ、４９ａに挿通され第１のパネル７のネジ止めボス７ｋ、７ｋに螺合されることにより第１のパネル７の左側面部７ａの内面に取り付けられる。押さえ用板金４８が左側面部７ａに取り付けられた状態においては、バネ押さえ部４９ｂがスピーカー４７の後面の中央部に弾接され、スピーカー４７が保持される。
【００９１】
押さえ用板金４８が左側面部７ａに取り付けられた状態において、左側面部７ａの外面側からネジ挿入孔７ｅに第２の取付ネジ５３が挿入され、該第２の取付ネジ５３が押さえ用板金４８のネジ孔５１ａを挿通されて接地用板金４６の螺孔４６ｂに螺合される。従って、第２の取付ネジ５３によって押さえ用板金４８の被取付部５１と接地用板金４６の取付片４６ａとが面接触される。
【００９２】
従って、スピーカー４７が静電気を帯びたときには、この静電気がスピーカー４７から押さえ用板金４８及び接地用板金４６を介して接地回路へ速やかに流れ該接地回路から放出される。
【００９３】
上記のように、撮像装置１にあっては、スピーカー４７の押さえとスピーカー４７の帯電の防止を図るためにバネ押さえ部４９ｂを有する押さえ用板金４８を用いたので、押さえ用板金４８とスピーカー４７の間にゴムブッシュ等のクッションを必要とせず、その分、部品点数の削減を図ることができる。
【００９４】
また、バネ押さえ部４９ｂは押さえ用板金４８の一部を打出状の突部とすることにより形成されるため、押さえ用板金４８の加工が容易であり、製造コストの低減を図ることができる。
【００９５】
さらに、第２の取付ネジ５３によって押さえ用板金４８と接地用板金４６が接続されると共にカメラ筐体５の内部に固定された接地用板金４６に第２のパネル７が取り付けられるため、押さえ用板金４８と接地用板金４６の接続及び第２のパネル７の組付を同時に行うことができ、撮像装置１の組立作業における作業性の向上を図ることができる。
【００９６】
カメラ筐体５の内部には基板ユニット５４が取り付けられる（図１６参照）。
【００９７】
基板ユニット５４は、図１７乃至図１９に示すように、保持ベース５５と、該保持ベース５５に保持される回路基板５６と、保持ベース５５の反対側から回路基板５６を押さえる押さえ部材５７と、回路基板５６及び押さえ部材５７を保持する保持フレーム５８とを有している。
【００９８】
保持ベース５５は、図１７に示すように、基体部５９と該基体部５９から左方へ突出された端子配置部６０と基体部５９の後面から突出された第１の係合部６１と基体部５９の右側面から突出された第２の係合部６２とを有している。
【００９９】
基体部５９には前後に離隔して上方へ突出された挿入ピン５９ａ、５９ａが設けられている。
【０１００】
端子配置部６０には前後に隣接して配置用凹部６０ａ、６０ａ、６０ａが形成され、該配置用凹部６０ａ、６０ａ、６０ａは上方及び左方に開口されている。端子配置部６０の下面には、前後に離隔して係止爪６０ｂ、６０ｂが設けられている（図１９参照）。
【０１０１】
第１の係合部６１は、図１７に示すように、基体部５９の後面における左端寄りの位置から突出され略Ｌ字状に形成されている。第１の係合部６１の先端部には前方へ突出された係合爪６１ａが設けられている。
【０１０２】
第２の係合部６２は基体部５９の右側面における前端部から突出され略Ｌ字状に形成されている。第２の係合部６２の先端部には左方へ突出された係合爪６２ａが設けられている。
【０１０３】
回路基板５６には前後に離隔してピン挿通孔５６ａ、５６ａが形成され、該ピン挿通孔５６ａ、５６ａの径（図２０に示すＳ２）は基体部５９の挿入ピン５９ａ、５９ａの径（図２０に示すＳ１）より大きくされている。回路基板５６上にはコネクター６３が搭載され、該コネクター６３に接続手段として機能するフレキシブルプリント配線板６４の一端部が接続されている。フレキシブルプリント配線板６４は回路基板５６から右方へ突出されている。回路基板５６の下面の左端部には、上記接続端子１４、１４、１４が前後に並んで搭載されている。接続端子１４、１４、１４は回路基板５６上に形成された回路を介してフレキシブルプリント配線板６４に接続されている。
【０１０４】
押さえ部材５７は、上下方向を向く押さえ面部６５と、該押さえ面部６５の左縁の前後両端部からそれぞれ下方へ突出された被固定部６６、６６と、押さえ面部６５の右縁から下方へ突出されさらに右方へ突出された固定部６７と、押さえ面部６５の稍上方に位置する浮き防止部６８とを有している。押さえ面部６５には前後に離隔してピン挿入孔６５ａ、６５ａが形成され、被固定部６６、６６にはそれぞれネジ用螺孔６６ａ、６６ａが形成され、固定部６７の先端部には挿入孔６７ａが形成されている。ピン挿入孔６５ａ、６５ａの径（図２０に示すＳ３）は回路基板５６のピン挿入孔５６ａ、５６ａの径Ｓ２より小さくされている。
【０１０５】
保持フレーム５８は上下方向を向く保持面部６９と該保持面部６９の左縁から下方へ突出された端子挿入部７０と該端子挿入部７０の下縁から右方へ突出された係止部７１、７１とを有している。
【０１０６】
端子挿入部７０には前後に並んで端子挿入孔７０ａ、７０ａ、７０ａが形成され、該端子挿入孔７０ａ、７０ａ、７０ａはそれぞれ接続端子１４、１４、１４の外形状に対応した形状に形成されている。
【０１０７】
係止部７１、７１はそれぞれ端子挿入部７０の下縁における前後両端部から右方へ突出されている（図１９参照）。係止部７１、７１にはそれぞれ係止孔７１ａ、７１ａが形成されている。
【０１０８】
基板ユニット５４は、以下のようにして組み立てられる。
【０１０９】
先ず、保持ベース５５の基体部５９上に回路基板５６を載置し、挿入ピン５９ａ、５９ａをそれぞれピン挿通孔５６ａ、５６ａに挿入する。接続端子１４、１４、１４はそれぞれ保持ベース５５の端子配置部６０、６０、６０に配置される。端子配置部６０、６０、６０に配置された接続端子１４、１４、１４は、それぞれ端子配置部６０、６０、６０を形成する各面との間に一定の隙間を有した状態で配置される。
【０１１０】
次に、回路基板５６上に押さえ部材５７を載置し、挿入ピン５９ａ、５９ａをピン挿入孔６５ａ、６５ａに挿入する。
【０１１１】
次いで、保持フレーム５８を保持ベース５５、回路基板５６及び押さえ部材５７に対して右方へスライドさせる。保持フレーム５８を右方へスライドさせると、図１９に示すように、係止部７１、７１の係止孔７１ａ、７１ａの開口縁にそれぞれ保持ベース５５の係止爪６０ｂ、６０ｂが係止され、保持フレーム５８と保持ベース５５が結合される。保持フレーム５８の端子挿入孔７０ａ、７０ａ、７０ａに対応して、それぞれ接続端子１４、１４、１４の先端部が配置され、保持フレーム５８の保持面部６９の一部が押さえ部材５７の浮き防止部６８の下側に位置される（図１８参照）。保持面部６９の一部が浮き防止部６８の下側に位置されることにより、保持フレーム５８の浮きが防止される。
【０１１２】
以上のようにして組み立てられた基板ユニット５４は、回路基板５６が保持ベース５５の基体部５９と押さえ部材５７の押さえ面部６５とによって押さえられるが、上記したように、回路基板５６のピン挿通孔５６ａ、５６ａの径Ｓ２が保持ベース５５の挿入ピン５９ａ、５９ａの径Ｓ１より大きくされているため、回路基板５６はピン挿通孔５６ａ、５６ａと挿入ピン５９ａ、５９ａの寸法差（Ｓ２−Ｓ１）の範囲内で保持ベース５５及び押さえ部材５７に対して移動可能とされる。
【０１１３】
カメラ筐体５の内部における下端部には２つのユニット用係合部７２、７３とユニット用固定部７４が設けられている（図２１参照）。ユニット用係合部７２、７３にはそれぞれ係合孔７２ａ、７３ａが形成され、ユニット用固定部７４には螺孔７４ａが形成されている。
【０１１４】
基板ユニット５４はフレキシブルプリント配線板６４の先端部が制御回路基板３８の接続コネクター３８ｃに接続され、保持ベース５５の第１の係合部６１と第２の係合部６２がそれぞれユニット用係合部７２、７３の係合孔７２ａ、７３ａに挿入される。第１の係合部６１と第２の係合部６２がそれぞれ係合孔７２ａ、７３ａに挿入されると、それぞれ係合爪６１ａ、６２ａがユニット用係合部７２、７３に係合されて基板ユニット５４がカメラ筐体５の内部で保持される（図１６参照）。このとき固定部６７の先端部がユニット用固定部７４に重ね合わされた状態とされる。
【０１１５】
基板ユニット５４がカメラ筐体５の内部で保持された状態においては、図２２に示すように、フレキシブルプリント配線板６４が所定の状態に屈曲され、フレキシブルプリント配線板６４が屈曲される前の元の状態に戻ろうとすることにより生じる移動力が左方（図１６及び図２２に示す矢印Ｆ方向）へ作用する。このフレキシブルプリント配線板６４の移動力は基板ユニット５４に対して左方への付勢力として付与され、ユニット用係合部７２、７３に対する第１の係合部６１と第２の係合部６２の接触圧が高くなる。
【０１１６】
従って、基板ユニット５４のユニット用係合部７２、７３からの脱落を、別に脱落防止手段を設けることなく防止することができる。
【０１１７】
上記のように、撮像装置１にあっては、基板ユニット５４を固定する前の状態において、カメラ筐体５内に保持することができるため、予め第１のパネル７に基板ユニット５４を取り付けて保持し第１のパネル７と第２のパネル８等との結合作業の際にフレキシブルプリント配線板６４を接続コネクター３８ｃに接続する場合に比し、フレキシブルプリント配線板６４の接続コネクター３８ｃに接続するときの作業空間が小さくて済み、その分、作業性の向上を図ることができる。
【０１１８】
また、フレキシブルプリント配線板６４の接続コネクター３８ｃに接続するときの作業空間が小さくて済むため、その分、フレキシブルプリント配線板６４の長さを短くすることができ、通信の高速化及び電磁ノイズの発生の防止を図ることができる。
【０１１９】
特に、接続端子１４としてＵＳＢ２．０以上の端子やＨＤＭＩ端子を用いた場合には、通信速度等との関係により規格上一定以下の長さにする必要があり、これらの各端子の適正な使用状態を確保することができる。
【０１２０】
上記のように基板ユニット５４が保持された状態において、第１のパネル７が第２のパネル８、第３のパネル９、第４のパネル１０及び円筒パネル１１に組み付けられる。このとき、図２１に示すように、取付ネジ７５が第１のパネル７に形成されたネジ挿通孔７ｉ及び基板ユニット５４の固定部６７に形成された挿入孔６７ａを挿通され、ユニット用固定部７４に形成された螺孔７４ａに螺合される。
【０１２１】
第１のパネル７が第２のパネル８等に組み付けられたときには、図５に示すように、基板ユニット５４の端子配置部６０の先端部が第１のパネル７に形成された配置孔７ｇに嵌合される。この状態でネジ部材７６、７６がそれぞれネジ挿入用孔７ｈ、７ｈを挿通され押さえ部材５７に形成されたネジ用螺孔６６ａ、６６ａに螺合される。
【０１２２】
このように取付ネジ７５が固定部６７の挿入孔６７ａを挿通されてユニット用固定部７４の螺孔７４ａに螺合され、ネジ部材７６、７６がそれぞれ押さえ部材５７のネジ用螺孔６６ａ、６６ａに螺合されることにより、基板ユニット５４が第１のパネル７に固定される。
【０１２３】
撮像装置１にあっては、上記のように、第１のパネル７の第２のパネル８等への結合時に基板ユニット５４が第１のパネル７に固定されるため、撮像装置１の組立作業が簡略化され、撮像装置１の組立作業における作業性の向上を図ることができる。
【０１２４】
上記のように、回路基板５６はピン挿通孔５６ａ、５６ａと挿入ピン５９ａ、５９ａの寸法差の範囲において保持ベース５５及び押さえ部材５７に対して移動可能とされている。従って、接続端子１４、１４、１４に所定の接続ケーブルが接続される場合に該接続ケーブルから接続端子１４、１４、１４に負荷が付与されたときに、回路基板５６が保持ベース５５及び押さえ部材５７に対して移動されるため、接続端子１４、１４、１４と回路基板５６の結合部分の半田の剥がれが生じ難く、接続端子１４、１４、１４の回路基板５６からの外れを防止することができる。
【０１２５】
カメラ筐体５の撮像ブロック配置部５ａには撮像ブロック７７が配置され（図１６参照）、該撮像ブロック７７は鏡筒７８と該鏡筒７８内に配置されたズームレンズやフォーカスレンズ等の所定のレンズと鏡筒７８の後面部に配置された撮像素子７９、例えば、ＣＣＤとを有している（図２３参照）。
【０１２６】
撮像ブロック７７の直ぐ後側には制御基板８０が配置されている。制御基板８０は撮像素子７９の駆動回路や後面にタイミングジェネレーター等の所定のチップ部品８０ａ、８０ａ、・・・を有している。制御回路基板８０の中央部には孔８０ｂが形成され、前面に孔８０ｂを覆うようにして撮像素子７９が取り付けられている。
【０１２７】
制御基板８０の後面にはシールドケース８１が取り付けられる（図２３及び図２４参照）。シールドケース８１は横長の略矩形状に形成された遮蔽面部８１ａと該遮蔽面部８１ａの左右両端縁からそれぞれ前方へ突出された被取付片部８１ｂ、８１ｂとを有している。シールドケース８１は被取付片部８１ｂ、８１ｂが制御基板８０に取り付けられている。被取付部８１ｂ、８１ｂは、例えば、制御基板８０に半田付けにより取り付けられ、この半田付けされた部分が制御基板８０に形成されたアース用のパターンに接続されている。
【０１２８】
シールドケース８１は制御基板８０の上方側に搭載されたチップ部品８０ａ、８０ａ、・・・、例えば、タイミングジェネレーター等を遮蔽している。従って、シールドケース８１によりタイミングジェネレーター等のチップ部品８０ａ、８０ａ、・・・から放射される電磁ノイズが遮蔽されて不要輻射の防止が図られる。
【０１２９】
シールドケース８１の遮蔽面部８１ａの前後両面には、それぞれ伝熱シート８２、８３が貼着され、前側の伝熱シート８２が制御基板８０の上方側に搭載されたチップ部品８０ａ、８０ａ、・・・に面接触されている。
【０１３０】
制御基板８０の孔８０ｂには伝熱クッション８４が配置され、該伝熱クッション８４は撮像素子７９に面接触されている。
【０１３１】
制御基板８０の下方側に搭載されたチップ部品８０ａ、８０ａ、・・・上には伝熱クッション８５が配置されている。
【０１３２】
カメラ筐体５の撮像ブロック配置部５ａには撮像ブロック７７の一部を覆うようにして放熱用板金８６が配置されている。放熱用板金８６は後面部８７と該後面部８７の左縁から前方へ突出された側面部８８と後面部８７の上縁から前方へ突出された上面部８９とを有している。
【０１３３】
後面部８７の中央部には前方へ突出された打出状の接触突部８７ａが設けられている。
【０１３４】
上面部８９の前端部には直角に折り曲げられた接続部８９ａが設けられ、該接続部８９ａは左右方向を向くように位置されている。
【０１３５】
撮像ブロック配置部５ａに放熱用板金８６が配置された状態においては、後面部８７の接触突部８７ａが伝熱クッション８４に面接触され、後面部８７の接触突部８７ａの上下両側の部分がそれぞれ伝熱シート８３と伝熱クッション８５に面接触される。上面部８９の接続部８９ａは、例えば、ネジ止めにより、上記飾りパネル２１の被取付片２１ｂに結合される。
【０１３６】
撮像ブロック７７の駆動時には、撮像素子７９及び制御基板８０に搭載されたチップ部品８０ａ、８０ａ、・・・が発熱する。撮像素子７９に発生した熱は、伝熱クッション８４から放熱用板金８６の後面部８７を経て上面部８９の接続部８９ａに伝達され、該接続部８９ａから飾りパネル２１に伝達されて大気中に放出される。また、チップ部品８０ａ、８０ａ、・・・に発生した熱は、伝熱シート８２、シールドケース８１、伝熱シート８３又は伝熱クッション８５から放熱用板金８６の後面部８７を経て上面部８９の接続部８９ａに伝達され、該接続部８９ａから飾りパネル２１に伝達されて大気中に放出される。
【０１３７】
このように撮像装置１にあっては、撮像素子７９及びチップ部品８０ａ、８０ａ、・・・に発生した熱が、通常の撮影状態において下方に位置する放熱用板金８６から上方に位置する飾りパネル２１に伝達されて放出されるため、放熱効率の向上を図ることができる。
【０１３８】
また、チップ部品８０ａ、８０ａ、・・・に発生した熱がシールドケース８１を介して放熱用板金８６に伝達されて放出されるように構成しているため、シールドケース８１が電磁ノイズの遮蔽手段及び熱の伝達手段として機能するため、部品点数の増大を来たすことなく簡単な構造により電磁ノイズの遮蔽及び熱の放出を行うことができる。
【０１３９】
尚、撮像素子７９及びチップ部品８０ａ、８０ａ、・・・に発生した熱は飾りパネル２１から放出されるが、該飾りパネル２１にはマイクへの音声の入力用の複数の音声用孔２１ａ、２１ａ、・・・が形成されているため、撮像素子７９及びチップ部品８０ａ、８０ａ、・・・に発生した熱が音声用孔２１ａ、２１ａ、・・・を形成する面からも放出される。音声用孔２１ａ、２１ａ、・・・が形成されている分、飾りパネル２１の放熱面積が大きくされており、放熱効率の向上を図ることができる。
【０１４０】
また、飾りパネル２１はアルミニウムによって形成されているため、撮像装置１の軽量化及び放熱効率の向上を図ることができる。
【０１４１】
撮像ブロック７７の右方には、上記制御回路基板３８が配置されている（図１２参照）。
【０１４２】
制御回路基板３８には放熱板９０が取り付けられている。放熱板９０はベース面部９０ａと該ベース面部９０ａの上下両端縁にそれぞれ設けられた被取付面部９０ｂ、９０ｂとベース面部９０ａから前方へ突出された接続面部９０ｃとを有している。放熱板９０は被取付面部９０ｂ、９０ｂが制御回路基板３８に取り付けられ、接続面部９０ｃが、例えば、ネジ止めにより、上記飾りリング２６に結合されている。
【０１４３】
放熱板９０のベース面部９０ａと制御回路基板３８に搭載された電子部品３８ａ、３８ａ、・・・との間には図示しない伝熱シートが配置され、該伝熱シートの両面がそれぞれ電子部品３８ａ、３８ａ、・・・と放熱板９０のベース面部９０ａに面接触されている。
【０１４４】
撮像装置１の駆動時には、制御回路基板９０に搭載された電子部品３８ａ、３８ａ、・・・が発熱する。電子部品３８ａ、３８ａ、・・・に発生した熱は、伝熱シートから放熱板９０のベース面部９０ａを経て接続面部９０ｃに伝達され、該接続面部９０ｃから飾りリング２６に伝達されて大気中に放出される。
【０１４５】
このように撮像装置１にあっては、電子部品３８ａ、３８ａ、・・・に発生した熱を飾りリング２６から放出し、撮像素子７９及びチップ部品８０ａ、８０ａ、・・・に発生した熱を飾りパネル２１から放出するようにしており、２系統の伝熱経路を有しているため、放熱効率の向上を図ることができる。
【０１４６】
また、飾りリング２６はアルミニウムによって形成されているため、撮像装置１の軽量化及び放熱効率の向上を図ることができる。
【０１４７】
尚、上記に示した前後上下左右の方向は説明の便宜上のものであり、本発明の適用においては、これらの方向に限定されることはない。
【０１４８】
また、上記に示した本発明に係る構造や構成は、各種の電子機器に適用することが可能である。
【０１４９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１５０】
【図１】図２乃至図２５と共に本発明の最良の形態を示すものであり、本図は、撮像装置を示す斜視図である。
【図２】撮像装置を図１とは別の方向から見た状態で示す斜視図である。
【図３】表示部が開放された状態で示す撮像装置の斜視図である。
【図４】一部を分解して示す撮像装置の斜視図である。
【図５】表示部及び開閉蓋を開放した状態を示す拡大斜視図である。
【図６】ハードディスクドライブ、内蓋及び収納蓋を分解して示す撮像装置の斜視図である。
【図７】第２のパネルの収納用リブの一部を断面にして示す拡大斜視図である。
【図８】表示部が閉塞された状態を示す拡大背面図である。
【図９】表示部が図８とは反対側にされたときに閉塞された状態を示す拡大背面図である。
【図１０】内部構造の一部を示す拡大縦断面図である。
【図１１】内部構造の一部を示す拡大横断面図である。
【図１２】第２のパネル、操作ブロック及びバッテリーを取り外した状態で示す撮像装置の斜視図である。
【図１３】掌に把持された状態を示す撮像装置の斜視図である。
【図１４】スピーカーの取付構造を示す拡大分解斜視図である。
【図１５】スピーカーの取付構造を示す拡大斜視図である。
【図１６】第１のパネル及びバッテリーを取り外した状態で示す撮像装置の斜視図である。
【図１７】図１８乃至図２０と共に基板ユニットを示すものであり、本図は、拡大分解斜視図である。
【図１８】拡大斜視図である。
【図１９】図８とは異なる方向から見た状態で示す拡大斜視図である。
【図２０】保持ベース、回路基板及び押さえ部材の位置関係を示す概略拡大平面図である。
【図２１】基板ユニットをユニット用係合部から分離した状態を示す拡大斜視図である。
【図２２】基板ユニットがユニット用係合部に係合された状態を示す概略拡大背面図である。
【図２３】撮像ブロック及び放熱用板金等を示す拡大分解斜視図である。
【図２４】撮像ブロックに制御基板等が取り付けられた状態を示す拡大斜視図である。
【図２５】撮像ブロック及び放熱用板金等を示す拡大斜視図である。
【符号の説明】
【０１５１】
１…撮像装置、５…カメラ筐体、４６…接地用板金、４７…スピーカー、４７…押さえ用板金、４９ｂ…バネ押さえ部、７７…撮像ブロック、７９…撮像素子
【図１】
2007166288.tif 000003
【図２】
2007166288.tif 000004
【図３】
2007166288.tif 000005
【図４】
2007166288.tif 000006
【図５】
2007166288.tif 000007
【図６】
2007166288.tif 000008
【図７】
2007166288.tif 000009
【図８】
2007166288.tif 000010
【図９】
2007166288.tif 000011
【図１０】
2007166288.tif 000012
【図１１】
2007166288.tif 000013
【図１２】
2007166288.tif 000014
【図１３】
2007166288.tif 000015
【図１４】
2007166288.tif 000016
【図１５】
2007166288.tif 000017
【図１６】
2007166288.tif 000018
【図１７】
2007166288.tif 000019
【図１８】
2007166288.tif 000020
【図１９】
2007166288.tif 000021
【図２０】
2007166288.tif 000022
【図２１】
2007166288.tif 000023
【図２２】
2007166288.tif 000024
【図２３】
2007166288.tif 000025
【図２４】
2007166288.tif 000026
【図２５】
2007166288.tif 000027